(57)【要約】【課題】集熱効率の高い屋根上の集熱構造を提案する。【解決手段】本発明の屋根上の集熱構造は、隙間Ｓ１を介して屋根５上に配される透明パネル２と、隙間Ｓ１に配される集熱板と、を備える。本発明の屋根上の集熱構造では、集熱板と透明パネル２との間に、断熱用の空気層Ｓ１０が形成され、集熱板と屋根５との間に、屋内に連通する加熱空間Ｓ１１が形成される。【選択図】図１
2015151730.tif 000002
【特許請求の範囲】
【請求項１】
隙間を介して屋根上に配される透明パネルと、
前記隙間に配される集熱板と、を備え、
前記集熱板と前記透明パネルとの間に、断熱用の空気層が形成され、
前記集熱板と前記屋根との間に、屋内に連通する加熱空間が形成されることを特徴とする屋根上の集熱構造。
【請求項２】
前記透明パネルよりも軒側の位置で、前記加熱空間に連通する第二の隙間を介して前記屋根上に配される機能パネルを更に備えることを特徴とする請求項１に記載の屋根上の集熱構造。
【請求項３】
前記透明パネル下方の前記隙間に配されるケースを更に備え、
前記ケースは、
外気が流入する流入口と、屋内に連通する流出口とを有し、
前記ケースの天板部が前記集熱板を構成し、前記ケースの内部空間が前記加熱空間を構成することを特徴とする請求項２に記載の屋根上の集熱構造。
【請求項４】
前記ケースは、前記屋根との間に下部空気層を介して配され、
前記ケースは、下方に突出する突出部を有し、
前記突出部は、前記下部空気層とこれよりも棟側の外部空間とを仕切ることを特徴とする請求項３に記載の屋根上の集熱構造。
【請求項５】
前記機能パネル下方の前記屋根に設けられ、前記第二の隙間に軒側から流入する空気を、前記第二の隙間において前記機能パネルに寄る方向に誘導する誘導部を更に備えることを特徴とする請求項２乃至４いずれか一項に記載の屋根上の集熱構造。
【請求項６】
前記誘導部よりも棟側の位置に設けられ、前記誘導部によって前記機能パネルの下面に沿わせた空気の流れを撹拌する撹拌部を更に備えることを特徴とする請求項５に記載の屋根上の集熱構造。
【発明の詳細な説明】
【技術分野】
【０００１】
本発明は、屋根上の集熱構造に関する。
【背景技術】
【０００２】
特許文献１には、透明ガラスモジュールを、屋根面との間に空気流通層を介在させた状態で設けた構造が開示されている。
【０００３】
この構造では、透明ガラスモジュールの下方の屋根には、屋内に通じる開口部が設けられている。
【０００４】
特許文献１の構造では、空気流通層を上昇する空気を、透明ガラスモジュールを透光した太陽光によって加熱し、この集熱された空気の熱を屋内で利用している。
【先行技術文献】
【特許文献】
【０００５】
【特許文献１】特開２０１３−１７８０８４号公報
【発明の概要】
【発明が解決しようとする課題】
【０００６】
しかし、上述した特許文献１の構造では、空気流通層を上昇する空気が、透明ガラスモジュールに当たることで、透明ガラスモジュールを介して放熱され、集熱効率が低下するおそれがある。
【０００７】
そこで、本発明は、集熱効率の高い屋根上の集熱構造を提案することを課題とする。
【課題を解決するための手段】
【０００８】
上記課題を解決するために本発明の屋根上の集熱構造は、隙間を介して屋根上に配される透明パネルと、前記隙間に配される集熱板と、を備え、前記集熱板と前記透明パネルとの間に、断熱用の空気層が形成され、前記集熱板と前記屋根との間に、屋内に連通する加熱空間が形成されることを特徴とする。
【０００９】
また、前記透明パネルよりも軒側の位置で、前記加熱空間に連通する第二の隙間を介して前記屋根上に配される機能パネルを更に備えることが好ましい。
【００１０】
また、前記透明パネル下方の前記隙間に配されるケースを更に備え、前記ケースは、外気が流入する流入口と、屋内に連通する流出口とを有し、前記ケースの天板部が前記集熱板を構成し、前記ケースの内部空間が前記加熱空間を構成することが好ましい。
【００１１】
また、前記ケースは、前記屋根との間に下部空気層を介して配され、前記ケースは、下方に突出する突出部を有し、前記突出部は、前記下部空気層とこれよりも棟側の外部空間とを仕切ることが好ましい。
【００１２】
また、前記機能パネル下方の前記屋根に設けられ、前記第二の隙間に軒側から流入する空気を、前記第二の隙間において前記機能パネルに寄る方向に誘導する誘導部を更に備えることが好ましい。
【００１３】
また、前記誘導部よりも棟側の位置に設けられ、前記誘導部によって前記機能パネルの下面に沿わせた空気の流れを撹拌する撹拌部を更に備えることが好ましい。
【発明の効果】
【００１４】
本発明の屋根上の集熱構造では、透明パネル下方の隙間に集熱板を配することで、透明パネルを通過した太陽光の熱を集熱板で効率良く集熱でき、この集熱した熱を利用して、集熱板と屋根との間の加熱空間に流入した空気を温めることができる。そして、本発明の屋根上の集熱構造では、集熱板と透明パネルとの間に断熱用の空気層を形成することで、集熱板の熱が透明パネルを介して放熱されることも抑制できる。したがって、本発明の屋根上の集熱構造は、集熱効率の高い構造となっている。
【図面の簡単な説明】
【００１５】
【図１】本発明の一実施形態の屋根上の集熱構造を概略的に示し、（ａ）は平面図であり、（ｂ）は（ａ）のＡ−Ａ´における側断面図であり、（ｃ）は（ａ）のＢ−Ｂ´における側断面図である。
【図２】図１（ａ）のＣ−Ｃ´における側断面図である。
【発明を実施するための形態】
【００１６】
以下、本発明の実施形態について添付図面に基づいて説明する。
【００１７】
図１（ａ）〜（ｃ）及び図２には、本発明の一実施形態の屋根上の集熱構造が示されている。本実施形態の集熱構造は、隙間Ｓ１を介して屋根５上に配される透明パネル２と、隙間Ｓ１に配される集熱板と、を備える。そして、本実施形態の集熱構造では、集熱板と透明パネル２との間に、断熱用の空気層Ｓ１０が形成され、集熱板と屋根５との間に、屋内に連通する加熱空間Ｓ１１が形成される。
【００１８】
詳しくは、本実施形態の集熱構造は、図１（ａ）〜（ｃ）に示すように、機能パネル１と、透明パネル２と、集熱用のケース３と、ダクト４と、を備える。上記の各構成１〜４は、傾斜した屋根５上に設けられる。以下では、屋根５の傾斜方向の水上側を棟側と記載し、屋根５の傾斜方向の水下側を軒側と記載し、屋根５に沿った水平方向を左右方向と記載し、屋根５に対して垂直な方向を上下方向と記載して、各構成について説明する。つまり、図１（ａ）〜（ｃ）における矢印Ｘ１で示す方向が棟側であり、その逆方向が軒側であり、矢印Ｙ１で示す方向が右方であり、その逆方向が左方であり、矢印Ｚ１で示す方向が上方であり、その逆方向が下方である。
【００１９】
機能パネル１は、透明パネル２よりも軒側の位置で、加熱空間Ｓ１１に連通する隙間Ｓ２（第二の隙間Ｓ２）を介して屋根５上に配される。
【００２０】
機能パネル１は、例えば、従来周知の太陽光発電パネルである。機能パネル１は、屋根５上に設置される支持部材６によって支持されて、屋根５から上方に隙間Ｓ２だけ離して配される。隙間Ｓ２は、隙間Ｓ２よりも軒側の外部空間と連通している。機能パネル１は、屋根５と略平行に配される。
【００２１】
機能パネル１は、略矩形板状である。機能パネル１は、屋根５上に、軒棟方向及び左右方向に複数並べて配される。例えば、機能パネル１は、軒棟方向に２つ、左右方向に３つ並べて配され、屋根５上に都合６つ配される。なお、機能パネル１の配置数は、屋根５の面積等に応じて、適宜設定される。
【００２２】
本実施形態の集熱構造は、図２に示すように、機能パネル１下方の屋根５に設けられ、隙間Ｓ２に軒側から流入する空気を、隙間Ｓ２において機能パネル１に寄る方向に誘導する誘導部８を更に備える。詳しくは、機能パネル１下方の屋根５のうち、機能パネル１を支持する軒側の横枠部６０よりも少し棟側の部位（つまり、空気の入口側）に、矩形板状の誘導部８が上方に突出させて設けられている。誘導部８の上端は、機能パネル１に近接する箇所に位置する。誘導部８は、左右方向に並ぶ各機能パネル１の下方に配される。また、誘導部８は、軒棟方向に並ぶ各機能パネル１の下方に配される。本実施形態の集熱構造では、このように誘導部８を設けることで、軒側から第二の隙間Ｓ２に流入する空気を、日射より温度が高くなった機能パネル１に接触させて、効率的な熱交換を行わせることができる。
【００２３】
また、本実施形態の集熱構造は、誘導部８よりも棟側の位置に設けられ、誘導部８によって機能パネル１の下面に沿わせた空気の流れを撹拌する撹拌部９を更に備える。詳しくは、機能パネル１下方の屋根５のうち、誘導部８よりも棟側の位置（例えば、機能パネル１の軒棟方向の中央部）に、矩形板状の撹拌部９が上方に突出させて設けられている。なお、撹拌部９は、１箇所に限らず、軒棟方向の複数箇所に設けてもよい。撹拌部９の上端は、誘導部８の上端よりも低い。撹拌部９は、左右方向に並ぶ各機能パネル１の下方に配される。また、撹拌部９は、軒棟方向に並ぶ各機能パネル１の下方に配される。本実施形態の集熱構造では、このように撹拌部９を設けることで、誘導部８によって機能パネル１の下面に沿わせた空気の流れを撹拌して、機能パネル１裏側の表面対流熱伝達を促進することができる。これにより、本実施形態の集熱構造では、機能パネル１の熱を空気が受け取りやすくして、効率的な熱交換を行わせることができる。
【００２４】
透明パネル２は、図１（ａ）〜（ｃ）に示すように、軒棟方向に並ぶ複数の機能パネル１のうち、最も棟側に位置する機能パネル１よりも棟側の位置で、屋根５上に隙間Ｓ１を介して配される。透明パネル２は、屋根５上に設置される支持部材６によって支持されて、屋根５から上方に隙間Ｓ１だけ離して配される。
【００２５】
透明パネル２は、略矩形板状である。透明パネル２は、透明なガラスパネルや樹脂パネルである。透明パネル２は、機能パネル１よりも光が透過しやすいパネルであればよく、例えば、透明に限らず半透明であってもよい。透明パネル２の軒棟方向の長さは、機能パネル１の軒棟方向の長さよりも短く、透明パネル２の左右方向の長さは、機能パネル１の左右方向の長さと同じである。
【００２６】
透明パネル２は、最も棟側に位置する各機能パネル１の棟側に並べて配される。つまり、透明パネル２は、屋根５上に、左右方向に並べて複数配される。透明パネル２の配置数は、左右方向に並べて配される機能パネル１の数と同じである。
【００２７】
支持部材６は、平面視略矩形状であり、軒棟方向に一対の横枠部６０と、左右一対の縦枠部（図示せず）と、脚部（図示せず）を有する。軒棟方向に一対の横枠部６０は、機能パネル１または透明パネル２の軒棟方向の端部を支持し、左右一対の縦枠部は、機能パネル１または透明パネル２の左右の端部を支持する。脚部は、横枠部６０または縦枠部から下方に向けて突出し、その下端部が屋根５に取り付けられる。
【００２８】
軒棟方向及び左右方向に並ぶ複数の機能パネル１間や、軒棟方向に並ぶ機能パネル１と透明パネル２との間や、左右方向に並ぶ複数の透明パネル２間には、隙間を埋めるカバー材７が適宜設置される。カバー材７は、機能パネル１や透明パネル２よりも上方の外部空間と、機能パネル１や透明パネル２よりも下方の空間とを仕切る。なお、上記の各間に隙間がない場合には、カバー材７は省略可能である。
【００２９】
ケース３は、透明パネル２下方の隙間Ｓ１に配される。ケース３は、外気が流入する流入口３４と、屋内に連通する流出口３５とを有し、ケース３の天板部３０が集熱板を構成し、ケース３の内部空間が加熱空間Ｓ１１を構成する。
【００３０】
詳しくは、ケース３は、矩形箱状であり、集熱板を構成する天板部３０と、底板部３１と、前板部３２と、後板部３３と、左右一対の側板部（図示せず）と、を一体に有する。ケース３は、ケース３の外部空間のうち、空気層Ｓ１０よりも下方の領域の外気が流入する流入口３４を有する。本実施形態では、ケース３は、底板部３１の軒側の端部に、流入口３４が左右方向に亘って設けられている。また、ケース３は、底板部３１の流入口３４よりも棟側の部位（例えば、底板部３１の軒棟方向の中央部）に、ダクト４の上端部に連結される流出口３５を有する。流出口３５は、底板部３１の左右方向の中央部に設けられる。
【００３１】
ケース３は、日射の吸収率が高い材料で形成され、例えば、黒色の金属や樹脂で形成される。なお、ケース３は、天板部３０のみ日射の吸収率が高い材料で形成され、天板部３０以外の部位がその他の伝熱性の高い材料で形成されてもよい。
【００３２】
ケース３は、左右方向に並ぶ複数の透明パネル２全ての下方に位置するように、左右方向に長尺に設けられる。ここで、ケース３は、流出口３５が、左右方向に並ぶ複数の透明パネル２のうち中央に位置する透明パネル２の下方に位置するように配される。ケース３は、集熱板を構成する天板部３０と透明パネル２との間に断熱用の空気層Ｓ１０が形成されるように、透明パネル２から下方に離して配される。断熱用の空気層Ｓ１０は、内部に空気を含む閉塞または略閉塞された空間である。本実施形態では、ケース３の後板部３３を、透明パネル２を支持する支持部材６の棟側の横枠部６０に当て、ケース３の前板部３２を軒側の横枠部６０との間に僅かな隙間が形成されるように配することによって、略閉塞された断熱用の空気層Ｓ１０を形成している。なお、ケース３の後板部３３を棟側の横枠部６０との間に僅かな隙間が形成されるように配してもよいし、ケース３の前板部３２を軒側の横枠部６０に当てて配してもよい。
【００３３】
また、ケース３は、屋根５との間に空気層Ｓ１２（以下「下部空気層Ｓ１２」という）を介して配される。ケース３は、下方に突出する突出部３６を有する。突出部３６は、下部空気層Ｓ１２とこれよりも棟側の外部空間とを仕切る。
【００３４】
詳しくは、ケース３は、屋根５との間に下部空気層Ｓ１２が形成されるように、屋根５から上方に離して配される。また、ケース３は、底板部３１の棟側の端部から下方に突出して、屋根５に当たる突出部３６を有する。突出部３６は、例えば、矩形板状であり、底板部３１に左右方向に亘って設けられる。
【００３５】
ダクト４は、屋根５に上下方向に貫通させて設けられる。ダクト４は、屋内に連通し、ケース３内に流入した空気を、屋内に搬送する。ダクト４内、またはダクト４に連通する箇所には、ファン等の搬送手段が適宜配される。
【００３６】
以上説明した本実施形態の集熱構造では、空気が例えば図１（ａ）の矢印Ａ１、Ａ２、Ａ３に示すように流れ、ケース３によって温められ、ダクト４を通じて屋内へと搬送される。
【００３７】
詳しくは、最も軒側に位置する機能パネル１よりも軒側の外部空間の空気が、軒棟方向に並ぶ各機能パネル１下方の第二の隙間Ｓ２を通じて、棟近傍に位置する透明パネル２下方の隙間Ｓ１の下部空気層Ｓ１２に流入する。このとき、軒側から第二の隙間Ｓ２に流入する空気は、日射により温度の高くなった各機能パネル１に誘導部８と撹拌部９によって接触させられて、温められる。そして、下部空気層Ｓ１２に流入した空気は、ケース３の底板部３１の流入口３４からケース３の内部空間である加熱空間Ｓ１１に流入する。ここで、ケース３は、集熱板を構成する天板部３０が、透明パネル２を通過した太陽光によって温められており、この天板部３０に連続する底板部３１、前板部３２、後板部３３、及び左右一対の側板部がそれぞれ、天板部３０から伝わる熱によって温められている。
【００３８】
ケース３の加熱空間Ｓ１１に流入した空気は、天板部３０、底板部３１、前板部３２、後板部３３、及び左右一対の側板部に衝突することで熱交換を行い、温められる。そして、ケース３内の加熱空間Ｓ１１に流入して温められた空気は、ケース３の底板部３１の流出口３５を通じてダクト４へ流出し、ダクト４を通じて、屋内へ搬送される。屋内へ搬送された温められた空気は、例えば、基礎空間へ送られ、これにより、基礎コンクリートが蓄熱して、暖房負荷の削減を図ることができる。また、屋内へ搬送された温められた空気は、例えば、エアコンを設けていない部屋に送ることで、その部屋の温度を上げることができ、これにより、温度バリアフリーに貢献でき快適性を向上させることができ、且つヒートショックの危険性を低下させることができる。
【００３９】
上述した本実施形態の集熱構造では、透明パネル２の下方に集熱用のケース３を設けたことで、透明パネル２を通過した太陽光の日射をケース３で効率良く吸収でき、隙間Ｓ１からケース３内に流入する空気を効果的に温めることができる。また、このとき、ケース３の熱が透明パネル２を介して放熱されることを、断熱用の空気層Ｓ１０によって抑制することができる。
【００４０】
また、本実施形態の集熱構造では、屋根５の上方に下部空気層Ｓ１２を介してケース３を設けたことで、ケース３の熱が屋根５を介して放熱されることを、下部空気層Ｓ１２によって抑制することができる。また、ケース３の底板部３１の上面と下面の両側から空気を衝突させることができるため、熱交換を効果的に行うことができる。
【００４１】
また、本実施形態の集熱構造では、ケース３の前板部３２ではなく底板部３１に流入口３４を設けることで、空気の流れを乱して、ケース３の各板部への衝突を生じさせやすくすることができる。
【００４２】
また、本実施形態の集熱構造では、ケース３から下方に突出する突出部３６を設けたことで、第二の隙間Ｓ２から下部空気層Ｓ１２へ流入した空気が、下部空気層Ｓ１２よりも棟側の外部空間に流れ出ることを抑制できる。また、前記外部空間から下部空気層Ｓ１２に温められていない空気や雨が流入することも突出部３６によって抑制できる。したがって、本実施形態の集熱構造では、温められた空気を効率良くダクト４を通じて屋内へと搬送することができる。
【００４３】
また、本実施形態の集熱構造では、機能パネル１下方に、誘導部８や撹拌部９を設けたことで、機能パネル１下方の第二の隙間Ｓ２に軒側から流入する空気を、温度の高くなった機能パネル１に接触させて、効率的な熱交換を行わせることができる。これにより、本実施形態の集熱構造では、機能パネル１の表面温度の低下を図ることができ、機能パネル１が例えば太陽光発電パネルである場合には、発電効率を上昇させることができる。
【００４４】
また、本実施形態の集熱構造では、軒棟方向に並ぶ複数の機能パネル１の更に棟側に透明パネル２を配置し、この透明パネル２の下方に集熱用のケース３を配置して、透明パネル２の下方に加熱空間Ｓ１１を設けている。そのため、本実施形態の集熱構造では、軒棟方向に並ぶ複数の機能パネル１との間で熱交換を行って温められた空気を、更にケース３の内部の加熱空間Ｓ１１によって温めることができ、効率良く温められた空気を、屋内へと搬送することができる。
【００４５】
なお、上述した実施形態の集熱構造では、透明パネル２の下方に断熱用の空気層Ｓ１０を介して箱状のケース３を配した例について説明したが、透明パネル２の下方には断熱用の空気層Ｓ１０を介して板状の集熱板だけを配してもよい。この場合でも、集熱板と屋根５との間の加熱空間に流入した空気を集熱板によって温めることができ、また、集熱板の熱が透明パネル２から放熱されることを空気層Ｓ１０によって抑制できる。
【００４６】
また、上述した実施形態の集熱構造では、屋根５の上方に下部空気層Ｓ１２を介してケース３を配した例について説明したが、屋根５上にケース３を隙間なく配してもよい。この場合、流入口３４は前板部３２に設けられ、突出部３６は省略される。
【００４７】
また、上述した実施形態の屋根上の集熱構造では、誘導部８の棟側に撹拌部９を配した例について説明したが、撹拌部９のみ省略してもよいし、誘導部８と撹拌部９の両方を省略してもよい。
【００４８】
以上まとめると、本発明の屋根上の集熱構造は、上述した各実施形態のように、以下の構成を備えることを特徴とする。
【００４９】
すなわち、本発明の屋根上の集熱構造は、隙間Ｓ１を介して屋根５上に配される透明パネル２と、隙間Ｓ１に配される集熱板と、を備える。本発明の屋根上の集熱構造では、集熱板と透明パネル２との間に、断熱用の空気層Ｓ１０が形成され、集熱板と屋根５との間に、屋内に連通する加熱空間Ｓ１１が形成される。
【００５０】
以上のように、本発明の屋根上の集熱構造では、透明パネル２下方の隙間Ｓ１に集熱板を配することによって、透明パネル２を通過した太陽光の熱を集熱板で効率良く集熱できる。そして、この集熱した熱を利用して、集熱板と屋根５との間の加熱空間Ｓ１１に流入した空気を温めることができる。また、本発明の屋根上の集熱構造では、集熱板と透明パネル２との間に断熱用の空気層Ｓ１０を形成することによって、集熱板の熱が透明パネル２を介して放熱されることも抑制できる。したがって、本発明の屋根上の集熱構造は、集熱効率の高い構造となっている。
【００５１】
また、本発明の屋根上の集熱構造は、上述した一実施形態のように、以下の構成を更に備えることが好ましい。
【００５２】
すなわち、本発明の屋根上の集熱構造は、透明パネル２よりも軒側の位置で、加熱空間Ｓ１１に連通する第二の隙間Ｓ２を介して屋根５上に配される機能パネル１を更に備える。
【００５３】
以上のような構成を備えることで、本発明の屋根上の集熱構造では、機能パネル１下方の第二の隙間Ｓ２を通過する空気を、機能パネル１との接触による熱交換や機能パネル１を通過した太陽光の熱によって温めた後、この空気を集熱板で更に温めることができる。
【００５４】
また、本発明の屋根上の集熱構造は、上述した一実施形態のように、以下の構成を更に備えることが好ましい。
【００５５】
すなわち、本発明の屋根上の集熱構造は、透明パネル２下方の隙間Ｓ１に配されるケース３を更に備える。ケース３は、外気が流入する流入口３４と、屋内に連通する流出口３５とを有し、ケース３の天板部３０が集熱板を構成し、ケース３の内部空間が加熱空間Ｓ１１を構成する。
【００５６】
以上のような構成を備えることで、本発明の屋根上の集熱構造では、ケース３内に空気を流入させ、この空気に、ケース３の天板部３０を構成する集熱板との間だけでなく、集熱板の熱が伝わるケース３の底板部や側板部との間でも熱交換を行わせることができる。これにより、本発明の屋根上の集熱構造では、流入する空気を効率良く温めることができる。
【００５７】
また、本発明の屋根上の集熱構造は、上述した一実施形態のように、以下の構成を更に備えることが好ましい。
【００５８】
すなわち、本発明の屋根上の集熱構造では、ケース３は、屋根５との間に下部空気層Ｓ１２を介して配され、ケース３は、下方に突出する突出部３６を有し、突出部３６は、下部空気層Ｓ１２とこれよりも棟側の外部空間とを仕切る。
【００５９】
以上のように、本発明の屋根上の集熱構造では、ケース３を、屋根５との間に下部空気層Ｓ１２を介して配することによって、ケース３の熱が屋根５を介して放熱されることを抑制できる。また、本発明の屋根上の集熱構造では、軒側から下部空気層Ｓ１２に流入した空気が、隙間Ｓ１よりも棟側の外部空間に流出することを突出部３６によって抑制できる。また、本発明の屋根上の集熱構造では、雨や冷たい空気が前記外部空間から下部空気層Ｓ１２に入り込むことも突出部３６によって抑制できる。よって、本発明の屋根上の集熱構造では、軒側から下部空気層Ｓ１２に流入する空気を効率良く温めることができる。
【００６０】
また、本発明の屋根上の集熱構造は、上述した一実施形態のように、以下の構成を更に備えることが好ましい。
【００６１】
すなわち、本発明の屋根上の集熱構造は、機能パネル１下方の屋根５に設けられ、第二の隙間Ｓ２に軒側から流入する空気を、第二の隙間Ｓ２において機能パネル１に寄る方向に誘導する誘導部８を更に備える。
【００６２】
以上のように、本発明の屋根上の集熱構造では、誘導部８を設けることで、軒側から第二の隙間Ｓ２に流入する空気を、温度の高くなった機能パネル１に接触させて、効率的な熱交換を行わせることができる。
【００６３】
また、本発明の屋根上の集熱構造は、上述した一実施形態のように、以下の構成を更に備えることが好ましい。
【００６４】
すなわち、本発明の屋根上の集熱構造は、誘導部８よりも棟側の位置に設けられ、誘導部８によって機能パネル１の下面に沿わせた空気の流れを撹拌する撹拌部９を更に備える。
【００６５】
以上のように、本発明の屋根上の集熱構造では、撹拌部９を設けることで、誘導部８によって機能パネル１の下面に沿わせた空気の流れを撹拌して、機能パネル１裏側の表面対流熱伝達を促進することができる。これにより、本実施形態の集熱構造では、機能パネル１の熱を空気が受け取りやすくして、効率的な熱交換を行わせることができる。
【００６６】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００６７】
１      機能パネル
２      透明パネル
３      ケース
５      屋根
８      誘導部
９      撹拌部
３０    天板部
３４    流入口
３５    流出口
３６    突出部
Ｓ１    隙間
Ｓ２    隙間（第二の隙間）
Ｓ１０  空気層
Ｓ１１  加熱層
Ｓ１２  下部空気層
【図１】
2015151730.tif 000003
【図２】
2015151730.tif 000004